(57)【要約】【課題】発光素子を支持する発光装置の取付構造を提供する。【解決手段】発光装置１と、当該発光装置１を固定するためのブラケット２とを備えた発光装置の取付構造であって、発光装置１は、一対の側壁２５ａ，２５ｂを含み透孔性を有するカバー７と、このカバー７内に収容された発光素子４とを有する。ブラケット２は、一対の側壁２５ａ，２５ｂを挟んでカバー７を弾性的に挟持可能な一対の挟持片４２ａ，４２ｂを有する。一対の側壁２５ａ，２５ｂの各外側面には、発光素子４よりも固定側に、カバー７の長手方向に沿った凹凸が形成されており、一対の挟持片４２ａ，４２ｂの各内面には、一対の側壁２５ａ，２５ｂの各外側面に形成された凹凸と係合可能な凸凹が形成されている。【選択図】図２
2014003035.tif 000002
【特許請求の範囲】
【請求項１】
発光装置と、当該発光装置を固定するためのブラケットとを備えた発光装置の取付構造であって、
前記発光装置は、一対の側壁を含み透孔性を有するカバーと、このカバー内に収容された発光素子とを有しており、
前記ブラケットは、前記一対の側壁を挟んで前記カバーを弾性的に挟持可能な一対の挟持片を有しており、
前記一対の側壁の各外側面には、前記発光素子よりも固定側に、前記カバーの長手方向に沿った凹凸が形成されており、
前記一対の挟持片の各内面には、前記一対の側壁の各外側面に形成された前記凹凸と係合可能な凸凹が形成されていることを特徴とする、発光装置の取付構造。
【請求項２】
前記カバーは中空の筒状をなし、前記発光素子を取り囲んでいることを特徴とする、請求項１に記載の発光装置の取付構造。
【請求項３】
前記一対の側壁の各外側面に形成された前記凹凸は、なだらかな湾曲面であることを特徴とする、請求項１または２記載の発光装置の取付構造。
【請求項４】
前記カバーおよび前記ブラケットは、それぞれ、前記カバーの短手方向に見て左右対称な形状に構成されていることを特徴とする、請求項２または３記載の発光装置の取付構造。
【請求項５】
前記ブラケットは、同一構造をした複数のブラケットを含み、
前記カバーの長手方向に沿って複数箇所が前記複数のブラケットにより固定されることを特徴とする、請求項１〜４のいずれか一項に記載の発光装置の取付構造。
【発明の詳細な説明】
【技術分野】
【０００１】
この発明は、発光装置の取付構造に関する。
【背景技術】
【０００２】
ＬＥＤ（Light Emitting Diode）などの発光素子を備える発光装置が知られている（たとえば、特許文献１参照）。特許文献１のＬＥＤランプは、アルミ製の支持板によって複数のＬＥＤを支持している。支持板には、断面略半円形状で透明のチューブが取り付けられており、このチューブ内にＬＥＤが配置されている。チューブの左右両端部は、それぞれ、チューブの内側に折り返されて爪状にされている。これら爪状の部分は、それぞれ、支持板の内部に形成された断面略Ｌ字形の溝に嵌め込まれている。これにより、チューブと支持板とが連結されている。
【先行技術文献】
【特許文献】
【０００３】
【特許文献１】特開２００９−１９９８２０号公報（［００２３］〜［００２５］段落）
【発明の概要】
【発明が解決しようとする課題】
【０００４】
この発明は、発光素子を支持する発光装置の取付構造を提供することを目的とする。
【課題を解決するための手段】
【０００５】
請求項１記載の発明は、発光装置と、当該発光装置を固定するためのブラケットとを備えた発光装置の取付構造であって、前記発光装置は、一対の側壁を含み透孔性を有するカバーと、このカバー内に収容された発光素子とを有しており、前記ブラケットは、前記一対の側壁を挟んで前記カバーを弾性的に挟持可能な一対の挟持片を有しており、前記一対の側壁の各外側面には、前記発光素子よりも固定側に、前記カバーの長手方向に沿った凹凸が形成されており、前記一対の挟持片の各内面には、前記一対の側壁の各外側面に形成された前記凹凸と係合可能な凸凹が形成されていることを特徴とする、発光装置の取付構造である。
【０００６】
請求項２記載の発明は、前記カバーは中空の筒状をなし、前記発光素子を取り囲んでいることを特徴とする、請求項１に記載の発光装置の取付構造である。
請求項３記載の発明は、前記一対の側壁の各外側面に形成された前記凹凸は、なだらかな湾曲面であることを特徴とする、請求項１または２記載の発光装置の取付構造である。
請求項４記載の発明は、前記カバーおよび前記ブラケットは、それぞれ、前記カバーの短手方向に見て左右対称な形状に構成されていることを特徴とする、請求項２または３記載の発光装置の取付構造である。
【０００７】
請求項５記載の発明は、前記ブラケットは、同一構造をした複数のブラケットを含み、前記カバーの長手方向に沿って複数箇所が前記複数のブラケットにより固定されることを特徴とする、請求項１〜４のいずれか一項に記載の発光装置の取付構造である。
【図面の簡単な説明】
【０００８】
【図１】図１はこの発明の一実施形態に係る発光装置の取付構造の概略を示す斜視図である。
【図２】図２は発光装置の分解斜視図およびブラケットの斜視図である。
【図３】図３は発光装置およびブラケットを発光装置の長手方向と直交する断面で切断した断面図であり、発光装置とブラケットとは分離した状態を示している。
【図４】図４はブラケットに固定された発光装置を側方から見た断面で切断した断面図である。
【図５】図５は図４の一部拡大図である。
【図６】図６Ａ、図６Ｂ、図６Ｃ、図６Ｄは発光装置をブラケットに着脱する動作を説明するための主要部の断面図である。
【図７】図７は発光装置がブラケットに固定された状態を示す断面図である。
【図８】図８はこの発明の別の実施形態のブラケットの斜視図である。
【図９】図９はこの発明のさらに別の実施形態の主要部の断面図である。
【発明を実施するための形態】
【０００９】
以下には、図面を参照して、この発明の実施形態について具体的に説明する。
図１は、この発明の一実施形態に係る発光装置の取付構造の概略を示す斜視図である。図１を参照して、発光装置１は、たとえば、家などの構造物の壁に取り付けられる照明装置である。なお、この発明は、照明装置に限らず、道路標識などに用いられる表示装置や、構造物に固定される発光装置や、携帯型の発光装置など、他の発光装置に適用することができる。この実施形態では、照明装置を例に、本発明を説明する。
【００１０】
発光装置１は、たとえば、２つのブラケット２を介して、固定面としての壁面（図示せず）に固定されるようになっている。発光装置１およびブラケット２によって、発光装置の取付構造が形成されている。
図２は、発光装置１の分解斜視図およびブラケット２の斜視図である。図３は、発光装置１およびブラケット２を発光装置１の長手方向と直交する断面で切断した断面図であり、発光装置１とブラケット２とは分離した状態を示している。図２および図３に示すように、発光装置１は、回路基板３と、発光素子としてのＬＥＤ（Light Emitting Diode）４と、シート５と、放熱部材６と、カバー７と、キャップ８，９と、シール部材１０，１１と、を備えている。
【００１１】
回路基板３は、ＬＥＤ４に電力を供給し、かつＬＥＤ４を支持するベース部材として設けられている。回路基板３は、矩形の板状に形成されており、カバー７の長手方向Ｘ１に細長く形成されている。回路基板３の表面３ａには、コネクタ１２が取り付けられている。コネクタ１２は、電力供給線１３を介して発光装置１の外部に配置された電源（図示せず）に電気的に接続されている。
【００１２】
コネクタ１２は、回路基板３に形成された導体パターン（図示せず）を介してＬＥＤ４に電気的に接続されている。
ＬＥＤ４は、上記電源からの電力の供給によって発光するようになっている。このＬＥＤ４は、たとえば、一辺が数ｍｍ程度の大きさの略矩形の部材であり、厚みが１ｍｍ程度である。ＬＥＤ４は、カバー７の長手方向Ｘ１に略等間隔に複数配置されている。ＬＥＤ４は、カバー７の短手方向Ｙ１（長手方向Ｘ１と直交し、かつ、回路基板３の表面３ａと平行な方向）において、回路基板３の略中央に配置されている。
【００１３】
図４は、ブラケット２に固定された発光装置１を側方から見た断面で切断した断面図である。図３および図４を参照して、シート５は、ＬＥＤ４の発光に伴うＬＥＤ４からの熱を拡散させるために設けられている。シート５は、回路基板３の裏面３ｂに、たとえば接着により取り付けられている。なお、本実施形態においては、シート状の放熱材料にて説明するけれども、グリス状の放熱材料を用いても構わない。
【００１４】
放熱部材６は、回路基板３およびシート５を介して伝わってきたＬＥＤ４からの熱を放出するために設けられている。また、放熱部材６は、回路基板３を支持するために設けられている。放熱部材６は、たとえば、アルミニウム合金などの熱伝導性に優れた材料を用いて形成された成形品である。放熱部材６は、長手方向Ｘ１に一様な形状に形成されている。また、放熱部材６は、短手方向Ｙ１（左右方向）に対称な形状に形成されている。
【００１５】
放熱部材６は、ベース１４と、一対の第１フィン１５ａ，１５ｂと、一対の第２フィン１６ａ，１６ｂと、一対の第３フィン１７ａ，１７ｂと、一対の第４フィン１８ａ，１８ｂと、を含んでいる。
ベース１４は、矩形の板状に形成されている。ベース１４の表面１４ａは、平坦な面に形成されており、シート５の裏面が、たとえば接着により取り付けられている。すなわち、ベース１４の表面１４ａには、シート５を介して回路基板３が取り付けられている。短手方向Ｙ１におけるベース１４の表面１４ａの両端には、それぞれ、凸状部１９ａ，１９ｂが設けられている。各凸状部１９ａ，１９ｂの高さ（ベース１４の表面１４ａからの高さ）は、ベース１４の表面１４ａからの回路基板３の表面３ａの高さと比べて低い。したがって、各凸状部１９ａ，１９ｂが、ＬＥＤ４の光を遮らないようになっている。
【００１６】
また、ベース１４、シート５および回路基板３を貫通する貫通孔が形成されており、この貫通孔に固定ねじ２０が取り付けられている。これにより、回路基板３は、放熱部材６に固定されている。
ベース１４の裏面１４ｂには、各一対のフィン１５ａ，１５ｂ；１６ａ，１６ｂ；１７ａ，１７ｂ；１８ａ，１８ｂが接続されている。すなわち、各一対のフィン１５ａ，１５ｂ；１６ａ，１６ｂ；１７ａ，１７ｂ；１８ａ，１８ｂと、ＬＥＤ４とは、ベース１４を挟んで反対の位置に配置されている。
【００１７】
一対の第１フィン１５ａ，１５ｂは、短手方向Ｙ１における放熱部材６の両端に配置されている。各第１フィン１５ａ，１５ｂは、ベース１４の裏面１４ｂからカバー７の高さ方向Ｚ１（長手方向Ｘ１および短手方向Ｙ１の双方に直交する方向）に延びている。一方の第１フィン１５ａ、ベース１４および一方の凸状部１９ａによって、放熱部材６の外側面６ａが形成されている。同様に、他方の第１フィン１５ｂ、ベース１４および他方の凸状部１９ｂによって、放熱部材６の外側面６ｂが形成されている。すなわち、放熱部材６の一対の外側面６ａ，６ｂが形成されている。一対の外側面６ａ，６ｂ間に、各一対のフィン１５ａ，１５ｂ；１６ａ，１６ｂ；１７ａ，１７ｂ；１８ａ，１８ｂが配置されている。
【００１８】
各外側面６ａ，６ｂには、第１凹部２１ａ，２１ｂが形成されている。第１凹部２１ａ，２１ｂは、長手方向Ｘ１において、放熱部材６の全域に亘って形成されている。各第１凹部２１ａ，２１ｂは、長手方向Ｘ１に見たときに、円弧形形状に形成されており、滑らかな湾曲面とされている。長手方向Ｘ１に見たとき、第１凹部２１ａの曲率半径は、略一定であり、かつ、第１凹部２１ｂの曲率半径は、略一定である。
【００１９】
一対の第２フィン１６ａ，１６ｂは、一対の第１フィン１５ａ，１５ｂの間に配置されている。各第２フィン１６ａ，１６ｂの長さ(ベース１４の裏面１４ｂからの長さ)は、各第１フィン１５ａ，１５ｂの長さよりも短い。
一対の第３フィン１７ａ，１７ｂは、一対の第２フィン１６ａ，１６ｂ、の間に配置されている。各第３フィン１７ａ，１７ｂの長さは、各第２フィン１６ａ，１６ｂと略同じである。
【００２０】
一対の第４フィン１８ａ，１８ｂは、一対の第３フィン１７ａ，１７ｂの間に配置されている。長手方向に沿って見たとき、一対の第４フィン１８ａ，１８ｂの互いの対向面と、これらの対向面間におけるベース１４の裏面１４ｂとは、全体として、円弧形形状に形成されている。
カバー７は、たとえば、押出成形によって形成された中空の筒状のポリカーボネートなどの合成樹脂製の成形品であり、長手方向Ｘ１に一様な形状である。カバー７は、回路基板３、ＬＥＤ４、シート５および放熱部材６を収容し、かつ取り囲んでいる。カバー７は、透明または半透明の部材であり、光を透過することのできる透光性を有している。したがって、ＬＥＤ４からの光はカバー７を通り、これにより、カバー７の外側の空間が照らされる。
【００２１】
カバー７の肉厚は、カバー７の周方向の全域に亘って略一定である。このため、カバー７の内側面７１の形状と外側面７２の形状とは、長手方向Ｘ１に沿って見たときに、相似である。カバー７は、短手方向Ｙ１に対称な形状である。
カバー７は、底壁２３と、天壁２４と、一対の側壁２５ａ，２５ｂとを含んでいる。
底壁２３は、略平坦な形状に形成されている。底壁２３は、放熱部材６のベース１４と略平行に配置されている。底壁２３は、各一対のフィン１５ａ，１５ｂ；１６ａ，１６ｂ；１７ａ，１７ｂ；１８ａ，１８ｂと高さ方向Ｚ１に並んでいる。
【００２２】
天壁２４とＬＥＤ４とは、高さ方向Ｚ１に所定の距離を隔てて相対向している。長手方向Ｘ１に見たとき、天壁２４は、回路基板３から遠ざかる方向に凸となる滑らかな湾曲形状に形成されている。
一対の側壁２５ａ，２５ｂは、底壁２３と天壁２４とを接続している。一対の側壁２５ａ，２５ｂは、底壁２３から天壁２４に向けて立ち上がっている。一対の側壁２５ａ，２５ｂのうち、底壁２３の近傍の第１部分２６ａ，２６ｂは、放熱部材６の一対の外側面６ａ，６ｂに沿って延びている。これにより、第１部分２６ａ，２６ｂは、長手方向Ｘ１に見たときに、放熱部材６に向けて凸となる湾曲形状に形成されている。
【００２３】
一対の側壁２５ａ，２５ｂにおけるカバー７の内側面７１ａ，７１ｂは、放熱部材６の一対の外側面６ａ，６ｂを挟んでいる。内側面７１ａ，７１ｂは、第１凸部２２ａ，２２ｂを含んでいる。第１凸部２２ａ，２２ｂは、長手方向Ｘ１において、カバー７の全域に亘って形成されている。一対の第１凸部２２ａ，２２ｂは、一対の第１凹部２１ａ，２１ｂと略一致する形状に形成されている。すなわち、各第１凸部２２ａ，２２ｂは、長手方向Ｘ１に見たときに、円弧形形状に形成されており、滑らかな湾曲面とされている。長手方向Ｘ１に見たとき、第１凸部２２ａの曲率半径は、略一定であり、かつ、第１凸部２２ｂの曲率半径は、略一定である。
【００２４】
各第１凸部２２ａ，２２ｂは、対応する第１凹部２１ａ，２１ｂに嵌合しており、対応する第１凹部２１ａ，２１ｂに対して長手方向Ｘ１にスライド可能である。各第１凸部２２ａ，２２ｂは、対応する第１凹部２１ａ，２１ｂに嵌っている。各第１凸部２２ａ，２２ｂは、対応する第１凹部２１ａ，２１ｂと面接触している。
また、カバー７は、一対の側壁２５ａ，２５ｂと底壁２３とを接続する接続部２７ａ，２７ｂを含んでいる。接続部２７ａ，２７ｂにおけるカバー７の内側面７１ｃ，７１ｄは、滑らかな湾曲面であり、一対の第１フィン１５ａ，１５ｂに沿って延びている。これにより、接続部２７ａ，２７ｂにおけるカバー７の内側面７１ｃ，７１ｄは、一対の第１フィン１５ａ，１５ｂと面接触している。
【００２５】
一対の側壁２５ａ，２５ｂにおけるカバー７の外側面７２ａ，７２ｂは、第２凹部２８ａ，２８ｂを含んでいる。第２凹部２８ａ，２８ｂは、長手方向Ｘ１において、カバー７の全域に亘って形成されている。一対の第２凹部２８ａ，２８ｂは、一対の第１凹部２１ａ，２１ｂと略同じ形状に形成されている。すなわち、各第２凹部２８ａ，２８ｂは、長手方向Ｘ１に見たときに、円弧形形状に形成されており、滑らかな湾曲面とされている。
【００２６】
長手方向Ｘ１に見たとき、第２凹部２８ａの曲率半径は、略一定であり、かつ、第２凹部２８ｂの曲率半径は、略一定である。一対の第１凹部２１ａ，２１ｂと、一対の第１凸部２２ａ，２２ｂと、一対の第２凹部２８ａ，２８ｂとは、短手方向Ｙ１に並んでいる。
図２および図４を参照して、キャップ８は、カバー７の一端７ａを塞ぐために設けられている。キャップ８は、キャップ本体３１と、キャップ本体３１からカバー７に向けて突出する突出部３２とを含んでいる。
【００２７】
キャップ本体３１は、カバー７の一端７ａを覆っている。キャップ本体３１の外周部は、カバー７の一端７ａに対向している。キャップ本体３１の外周部とカバー７の一端７ａとは、長手方向Ｘ１に離隔して配置されている。キャップ本体３１には、挿通孔３１ａが形成されており、この挿通孔３１ａを通って電力供給線１３がカバー７の内方から外方に伸びている。
【００２８】
突出部３２の少なくとも一部は、カバー７内に配置されている。突出部３２の外周面は、カバー７の内側面７１と略相似な滑らかな湾曲形状に形成されており、カバー７の内側面７１と離隔して配置されている。
キャップ本体３１および突出部３２には、ねじ挿通孔８ａが形成されている。ねじ挿通孔８ａには、固定ねじ３３が挿通されている。この固定ねじ３３は、放熱部材６に形成されたねじ孔３４にねじ結合している。これにより、キャップ８は、放熱部材６に結合されている。また、固定ねじ３３とねじ孔３４の間には防水や防油用のＯリング（図示せず）が装着されている。
【００２９】
シール部材１０は、カバー７とキャップ８との間を液密的に封止するために設けられている。シール部材１０は、ゴムなどの弾性部材によって形成された一体成形品である。シール部材１０は、シール本体３５と、シール本体３５から突出する鍔部３６とを含んでいる。
シール本体３５は、キャップ８の突出部３２の外周面とカバー７の内側面７１との間に配置されており、角張った部分のない、滑らかな環状に形成されている。図４の一部拡大図である図５に示すように、シール本体３５の外周には、リップ３７が設けられている。リップ３７は、長手方向Ｘ１に沿って複数設けられている。各リップ３７は、シール本体３５の全周に亘って形成されており、カバー７の内側面７１に接触している。
【００３０】
鍔部３６は、キャップ本体３１の外周部とカバー７の一端７ａとの間に配置されている。鍔部３６には、リップ３８が形成されている。リップ３８は、鍔部３６の全周に亘って形成されており、カバー７の一端７ａに接触している。
キャップ本体３１の外周部とカバー７の一端７ａとの間に鍔部３６を配置しているので、カバー７が熱により伸びたとき、カバー７は、鍔部３６を圧縮しながら長手方向Ｘ１に延びることができる。
【００３１】
図４を参照して、キャップ９は、電力供給線１３を挿通する孔が形成されていない点以外は、キャップ８と同様の構成を有している。また、シール部材１１は、シール部材１０と同様の構成を有している。したがって、キャップ９およびシール部材１１の詳細な説明は省略する。
発光装置１は、ＬＥＤ４、回路基板３およびシート５などが取り付けられた放熱部材６を、長手方向Ｘ１に沿ってカバー７に挿入し、その後、シール部材１０，１１およびキャップ８，９をカバー７に取り付けることで、完成する。このように、カバー７に放熱部材６を挿入するという簡易な組み立て方法が採用されている。
【００３２】
以上が、発光装置１の概略構成である。次いで、ブラケット２を説明する。
図２に示すように、ブラケット２は、たとえば、長手方向Ｘ１における発光装置１の両端にそれぞれ配置されており、発光装置１を２カ所で支持している。なお、各ブラケット２の構成は同様であるので、以下では、カバー７の一端７ａに配置されているブラケット２について説明する。
【００３３】
ブラケット２は、たとえば、ポリカーボネートなどの合成樹脂製の成形品である。ブラケット２は、たとえば、透明である。ブラケット２は、ベースプレート４１と、一対の挟持片４２ａ，４２ｂとを含んでいる。ベースプレート４１は、略矩形の板状に形成されている。ベースプレート４１には、長手方向Ｘ１に沿って複数のねじ挿通孔４１ａが形成されている。このねじ挿通孔４１ａを挿通する固定ねじ（図示せず）によって、ベースプレート４１が壁面に固定されるようになっている。
【００３４】
ベースプレート４１の表面４１ｂには、突起４３およびストッパ４４が形成されている。突起４３は、一対の挟持片４２ａ，４２ｂに挟持されたカバー７の底壁２３を押圧するために設けられている。突起４３がカバー７の底壁２３を押圧することにより、カバー７が一対の挟持片４２ａ，４２ｂに押圧される。これにより、カバー７がブラケット２に対して動くこと（がたつくこと）を抑制できる。
【００３５】
ストッパ４４は、ベースプレート４１の表面４１ｂを窪ませて形成されている。ストッパ４４は、たとえば、長手方向Ｘ１に離隔して２つ配置されている。図５に示すように、１つのストッパ４４は、キャップ本体３１の外周部に形成された突出片４５に接触している。突出片４５は、ストッパ４４に対して、長手方向Ｘ１の外方に配置されている。これにより、発光装置１がブラケット２に対して長手方向Ｘ１に位置ずれることが規制されており、かつ、発光装置１の熱による伸びは、ストッパ４４によって規制されないようになっている。
【００３６】
図３を参照して、ブラケット２の一対の挟持片４２ａ，４２ｂは、発光装置１のカバー７および放熱部材６を挟持するために設けられている。一対の挟持片４２ａ，４２ｂは、第１凸部２２ａ，２２ｂおよび第１凹部２１ａ，２１ｂを挟むようにしてカバー７の側壁２５ａ，２５ｂを挟む。一対の挟持片４２ａ，４２ｂは、短手方向Ｙ１におけるベースプレート４１の両端から高さ方向Ｚ１に沿って延びている。一対の挟持片４２ａ，４２ｂの先端部は、短手方向Ｙ１に変位可能である。一対の挟持片４２ａ，４２ｂの相対向する内側面４６ａ，４６ｂは、滑らかな湾曲面に形成されており、尖った部分を有していない。一対の挟持片４２ａ，４２ｂの内側面４６ａ，４６ｂの形状は、一対の側壁２５ａ，２５ｂにおけるカバー７の外側面７２ａ，７２ｂの形状に沿っている。
【００３７】
各挟持片４２ａ，４２ｂの先端には、互いの間隔が狭くなるように膨らむ膨らみ部４７ａ，４７ｂが形成されている。これにより、一対の挟持片４２ａ，４２ｂの内側面４６ａ，４６ｂには、第２凸部２９ａ，２９ｂが設けられている。第２凸部２９ａ，２９ｂは、長手方向Ｘ１において、対応する挟持片４２ａ，４２ｂの全域に亘って形成されている。
長手方向Ｘ１に見たとき、一対の第２凸部２９ａ，２９ｂは、一対の第１凸部２２ａ，２２ｂと略同じ形状に形成されている。すなわち、各第２凸部２９ａ，２９ｂは、長手方向Ｘ１に見たときに、円弧形形状に形成されており、滑らかな湾曲面とされている。長手方向Ｘ１に見たとき、第２凸部２９ａの曲率半径は、略一定であり、かつ、第２凸部２９ｂの曲率半径は、略一定である。
【００３８】
次に、壁面に固定されたブラケット２に対する発光装置１の着脱を説明する。ブラケット２に発光装置１を取り付ける際には、図６Ａに示すように、まず、発光装置１のカバー７の底壁２３を、ブラケット２のベースプレート４１に対して傾ける。この状態で、図６Ｂに示すように、カバー７の第２凹部２８ｂを、ブラケット２の第２凸部２９ｂに嵌める。
【００３９】
次いで、カバー７の接続部２７ａにおける外側面７２ｃを一方の挟持片４２ａに押し当てる。これにより、図６Ｃに示すように、カバー７の外側面７２ｃは、一方の挟持片４２ａを弾性変形させる。カバー７の接続部２７ａにおける外側面７２ｃと、一方の挟持片４２ａの内側面４６ａは、それぞれ、滑らかな湾曲面に形成されている。したがって、これら外側面７２ｃと内側面４６ａとの接触により、これら外側面７２ｃおよび内側面４６ａに傷がつくことが抑制されている。さらに、一方の挟持片４２ａの先端を他方の挟持片４２ｂから遠ざかるように一方の挟持片４２ａを弾性変形させ易い。
【００４０】
カバー７をベースプレート４１に向けて押し込むことで、図６Ｄに示すように、カバー７の第２凹部２８ａは、一方の挟持片４２ａの第２凸部２９ａに嵌まる。
そして、図７に示すように、カバー７の底壁２３がベースプレート４１と平行になる位置で、発光装置１がブラケット２に固定される。一対の第２凸部２９ａ，２９ｂは、一対の第２凹部２８ａ，２８ｂを弾性的に挟持している。一方の第２凸部２９ａと一方の第２凹部２８ａとは、長手方向Ｘ１に相対的にスライド可能である。同様に、他方の第２凸部２９ｂと他方の第２凹部２８ｂとは、長手方向Ｘ１に相対的にスライド可能である。
【００４１】
各凸部２２ａ，２２ｂ；２９ａ，２９ｂおよび各凹部２１ａ，２１ｂ；２８ａ，２８ｂは、回路基板３に対して高さ方向Ｚ１の一方（ブラケット２側）に配置されている。反対に、ＬＥＤ４は、回路基板３に対して高さ方向Ｚ１の他方に配置されている。このように、高さ方向Ｚ１において、各凸部２２ａ，２２ｂ；２９ａ，２９ｂおよび各凹部２１ａ，２１ｂ；２８ａ，２８ｂは、ＬＥＤ４に対して離隔して配置されている。これにより、ＬＥＤ４からカバー７の天壁２４に向けて発せられた光が、各凸部２２ａ，２２ｂ；２９ａ，２９ｂおよび各凹部２１ａ，２１ｂ；２８ａ，２８ｂによって遮られないようになっている。
【００４２】
この発光装置１は、ＬＥＤ４の点灯により、ＬＥＤ４が発熱する。ＬＥＤ４で生じた熱は、回路基板３およびシート５を介して放熱部材６に伝わる。放熱部材６に伝わった熱は、ベース１４から各フィン１５ａ，１５ｂ；１６ａ，１６ｂ；１７ａ，１７ｂ；１８ａ，１８ｂに伝わり、さらに、カバー７のうち底壁２３の周囲を通って発光装置１の外部に放出される。
【００４３】
次に、ブラケット２から発光装置１を取り外すときには、図６Ｄに示すように、カバー７の側壁２５ａを、ブラケット２に対して持ち上げる。このとき、カバー７の接続部２７ａにおける外側面７２ｃや、一方の挟持片４２ａの内側面４６ａが滑らかな湾曲形状に形成されていることにより、カバー７および一方の挟持片４２ａに傷がつかないようになっている。その上、カバー７が一方の挟持片４２ａに引っかかり難くなっており、カバー７の取り外しが容易になっている。カバー７の一方の側壁２５ａを持ち上げることにより、一方の挟持片４２ａは弾性変形し、一方の挟持片４２ａの先端が他方の挟持片４２ｂから遠ざかる。
【００４４】
カバー７の一方の側壁２５ａをさらに持ち上げると、カバー７の接続部２７ａは、一方の挟持片４２ａの膨らみ部４７ａを押圧する。これにより、一対の挟持片４２ａ，４２ｂの先端間の間隔がさらに広がる。これにより、図６Ｃに示すように、一方の第２凹部２８ａは、一方の第２凸部２９ａを乗り越える。カバー７の一方の側壁２５ａをさらに持ち上げると、カバー７の接続部２７ａは、一方の挟持片４２ａの膨らみ部４７ａに対して滑りながらブラケット２から離れるように移動する。これにより、図６Ｂに示すように、カバー７の一方の側壁２５ａと一方の挟持片４２ａとの結合が解除される。その後、カバー７を持ち上げることで、図６Ａに示すように、発光装置１は、ブラケット２から外れる。
【００４５】
以上説明したように、この実施形態によれば、放熱部材６の一対の第１凹部２１ａ，２１ｂ（外側面）は、カバー７の一対の側壁２５ａ，２５ｂの一対の内側面７１ａ，７１ｂを受けるようになっている。これにより、放熱部材６は、カバー７の一対の側壁２５ａ，２５ｂを補強する補強材となる。したがって、発光装置１の外郭部分としての一対の側壁２５ａ，２５ｂの強度をより高くできる。
【００４６】
また、カバー７の一対の側壁２５ａ，２５ｂと放熱部材６とは、第１凸部２２ａ，２２ｂと第１凹部２１ａ，２１ｂとの嵌合によって結合されている。これにより、一対の側壁２５ａ，２５ｂには、放熱部材６と接続するために、爪のような折れやすい部分を設ける必要がない。したがって、発光装置１の外郭の強度をより高くできる。また、一対の側壁２５ａ，２５ｂは、放熱部材６を挟むようにして放熱部材６の外方に配置されているので、一対の側壁２５ａ，２５ｂの厚みに制限を受けない。したがって、一対の側壁２５ａ，２５ｂの強度が十分に高くなるようにカバー７の厚みを設定することができる。
【００４７】
また、第１凸部２２ａ，２２ｂと長手方向Ｘ１に延びる第１凹部２１ａ，２１ｂとの結合により、カバー７と放熱部材６とが結合されている。したがって、放熱部材６が長手方向Ｘ１に沿って熱により伸びた（熱膨張した）ときの放熱部材６の伸びを、長手方向Ｘ１に真っ直ぐに案内できる。これにより、ＬＥＤ４を支持する放熱部材６に曲げ（撓み）が生じることを抑制できる。したがって、ＬＥＤ４の向きが変わることを抑制できる。その結果、発光装置１の光の見え方が変化することを抑制できる。これにより、人が違和感を覚えるような態様で、光の照らされ方に変化が生じることを抑制できる。特に、光の指向性が高い発光素子であるＬＥＤ４を用いているので、人が違和感を覚えるような態様で光の照らされ方に変化が生じることを抑制できる効果は、高い。
【００４８】
また、各フィン１５ａ，１５ｂ；１６ａ，１６ｂ；１７ａ，１７ｂ；１８ａ，１８ｂをカバーで覆っているので、表面積の大きい各フィン１５ａ，１５ｂ；１６ａ，１６ｂ；１７ａ，１７ｂ；１８ａ，１８ｂに埃が付着することを抑制できる。これにより、発光装置１が清潔な状態を長期に亘って維持することができる。このような発光装置１であれば、特に、食料品売り場で食品を照らす照明装置として好適である。また、発光装置１に関して、ＬＥＤ４周辺の温度さえ下がればよいので、フィン１５ａ，１５ｂ；１６ａ，１６ｂ；１７ａ，１７ｂ；１８ａ，１８ｂをカバー７で覆っていても、放熱性に問題が生じることはない。
【００４９】
さらに、ＬＥＤ４とフィン１５ａ，１５ｂ；１６ａ，１６ｂ；１７ａ，１７ｂ；１８ａ，１８ｂとは、ベース１４を挟んで反対の位置に配置されている。これにより、ＬＥＤ４の発する光が、フィン１５ａ，１５ｂ；１６ａ，１６ｂ；１７ａ，１７ｂ；１８ａ，１８ｂによって遮られることを抑制できる。これにより、発光装置１は、より広範囲に亘って光を照射することができる。
【００５０】
また、カバー７の内側面７１とキャップ８の突出部３２の外周面は、それぞれ、滑らかな湾曲面である。このように、互いに対向する内側面７１と突出部３２の外周面とは、滑らかな湾曲面であるので、互いの間をシール部材１０のシール本体３５でシールし易い。このように、内側面７１と突出部３２の外周面が滑らかであれば、これらの間にシール部材１０を配置したときに、内側面７１と突出部３２の外周面との間に異物が混入し難い。
【００５１】
たとえば、カバーの内側面と突出部の外周面とが角張った部分を含む場合を考える。この場合、角張った部分には、シール部材を密着し難い。したがって、カバーの内側面と突出部の外周面との間に異物が混入し易い。以上の次第で、この実施形態において、カバー７の内側面７１と突出部３２の内周面とが滑らかな湾曲面であることで、互いの間をシールし易い。
【００５２】
また、カバー７を樹脂成形する際に、カバー７の寸法の精度を高くすることができる。第１凸部２２ａ，２２ｂが滑らかな湾曲面であるので、溶融した合成樹脂を金型のキャビティ面に隙間無く行き渡らせることができるので、金型のキャビティの形状に精度よく合致する形状にカバー７を形成することができる。
たとえば、第１凸部に角張った部分がある場合を考える。この場合、カバーの成型時において、溶融した合成樹脂を金型のキャビティに充填する際、金型の角張ったキャビティ面に合成樹脂を完全に行き渡らし難い。その結果、金型のキャビティの形状に精度よく合致する形状にカバーを形成し難い。
【００５３】
さらに、第１凹部２１ａ，２１ｂおよび第１凸部２２ａ，２２ｂは、対応する放熱部材６およびカバー７において、長手方向Ｘ１の全域に亘って設けられている。これにより、第１凹部２１ａ，２１ｂと対応する第１凸部２２ａ，２２ｂとの結合の強度をより高くできる。
また、ブラケット２の一対の挟持片４２ａ，４２ｂでカバー７の第２凹部２８ａ，２８ｂを最小限のストレスに抑え挟むことで、カバー７をブラケット２に保持している。このように、カバー７を一対の挟持片４２ａ，４２ｂ間に差し込むという簡易な方法で、発光装置１をブラケット２に取り付けることができる。
【００５４】
また、カバー７を一対の挟持片４２ａ，４２ｂ間から抜き取るという簡易な方法で、発光装置１をブラケット２から取り外すことができる。したがって、発光装置１をブラケット２に容易に着脱できる。また、ブラケット２の一対の挟持片４２ａ，４２ｂが、第１凸部２２ａ，２２ｂと第１凹部２１ａ，２１ｂとを挟むようになっている。
これにより、カバー７と放熱部材６とが密着する部分の位置関係と、放熱部材６の剛性とによって、互いに接触しているカバー７と放熱部材６の結合力を高くすることができる。また、カバー７のうち、第１凸部２２ａ，２２ｂと第１凹部２１ａ，２１ｂとの嵌合によって結合の強度が高められている一対の側壁２５ａ，２５ｂを、一対の挟持片４２ａ，４２ｂで挟むことができる。これにより、一対の挟持片４２ａ，４２ｂでカバーを挟んだときに、カバー７が不要な変形を生じることを抑制できる。
【００５５】
また、カバー７の外側面７２と内側面７１とは、長手方向Ｘ１に見たときに互いに相似な形状に形成されている。これにより、カバー７の肉厚を略一定にすることができる。したがって、カバー７を製造する際の生産性を向上できる。特に、カバー７を押出成形により形成する場合の生産性を向上できる。
さらに、一対の挟持片４２ａ，４２ｂの内側面４６ａ，４６ｂは、カバー７の外側面７２に沿う湾曲形状に形成されている。このように、各挟持片４２ａ，４２ｂの内側面４６ａ，４６ｂを滑らかな湾曲形状に形成することで、発光装置１をブラケット２に着脱する際に、カバー７に傷が付くことを抑制できる。
【００５６】
また、ブラケット２は、発光装置１が熱により伸びたときに、カバー７および放熱部材６の伸びを規制しないようになっている。これにより、カバー７の両端に配置されたキャップ８，９やシール部材１０，１１に大きな力（曲げ力）が作用せずに済む。その結果、シール部材１０，１１のシール性能が低下することを抑制できる。
この発明は、以上の実施形態の内容に限定されるものではなく、請求項記載の範囲内において種々の変更が可能である。
【００５７】
たとえば、ブラケット２に代えて、図８に示すブラケット２Ａを用いてもよい。なお、以下では、上記実施形態と異なる点について主に説明し、同様の構成には図に同様の符号を付して説明を省略する。
ブラケット２Ａは、ベースプレート４１Ａと、短手方向Ｙ１におけるベースプレート４１Ａの両端に配置された一対の挟持片４２ａ，４２ｂとを含んでいる。ベースプレート４１Ａには、一対の挟持片４２ａ，４２ｂと長手方向Ｘ１に並ぶように固定片５０が設けられている。固定片５０には、固定ねじ（図示せず）を挿通するための挿通孔５１が形成されている。また、ベースプレート４１Ａには、段部５２が形成されており、発光装置１のキャップ８を受けることが可能とされている。
【００５８】
また、カバー７に代えて、図９の断面図に示すカバー７Ａを用いてもよい。カバー７Ａは、底壁２３が設けられていないことにより、長手方向Ｘ１に見て略半円形形状を有している点が、カバー７と異なる。カバー７Ａの一対の接続部２７ａ，２７ｂからは、一対の爪５４ａ，５４ｂが突出している。一方の爪５４ａは、第１フィン１５ａと第２フィン１６ａとに挟まれている。他方の爪５４ｂは、第１フィン１５ｂと第２フィン１６ｂとに挟まれている。
【００５９】
上記の構成により、一対の第２フィン１６ａ，１６ｂ、一対の第３フィン１７ａ，１７ｂおよび一対の第４フィン１８ａ，１８ｂは、カバー７Ａの外方に配置されている。これにより、放熱部材６の放熱性能がより高くされている。また、カバー７Ａと放熱部材６との結合により、カバー７Ａの内部と外部との間が塞がれており、埃などの異物がカバー７Ａの内部に進入しないようにされている。カバー７Ａを用いる場合には、第１凸部２２ａ，２２ｂと第１凹部２１ａ，２１ｂとの結合により、カバー７Ａと放熱部材６との結合の強度が十分高くされている。したがって、爪５４ａ，５４ｂに作用する負荷は小さく、薄い爪５４ａ，５４ｂを設けても、発光装置１の外郭の強度は十分に高い。
【００６０】
また、各上記実施形態において、第１凸部２２ａ，２２ｂと第１凹部２１ａ，２１ｂの配置を入れ替えてもよい。この場合、第１凸部２２ａ，２２ｂは、放熱部材６の外側面６ａ，６ｂに配置され、第１凹部２１ａ，２１ｂは、カバー７；７Ａの内側面７１ａ，７１ｂに配置される。また、第２凸部２９ａ，２９ｂと第２凹部２８ａ，２８ｂの配置を入れ替えてもよい。この場合、第２凸部２９ａ，２９ｂは、カバー７；７Ａの外側面７２ａ，７２ｂに配置され、第２凹部２８ａ，２８ｂは、ブラケット２；２Ａの内側面４６ａ，４６ｂに配置される。
【００６１】
また、発光素子としてＬＥＤ４を例示したけれども、これに限定されない。発光素子として蛍光管などの他の発光素子を用いてもよい。さらに、放熱部材６を合成樹脂の押出成型によって形成してもよい。また、第１凸部２２ａ，２２ｂは、長手方向Ｘ１におけるカバー７の一部にのみ形成されていてもよい。同様に、第２凸部２９ａ，２９ｂは、長手方向Ｘ１における一対の挟持片４２ａ，４２ｂの一部にのみ形成されていてもよい。
【００６２】
以上、本発明を具体的な態様により詳細に説明したが、上記の内容を理解した当業者は、その変更、改変および均等物を容易に考えられるであろう。したがって、本発明はクレームの範囲とその均等の範囲とするべきである。
本出願は、２０１０年４月２８日に日本国特許庁に提出された特願２０１０−１０３７１８号に対応しており、この出願の全開示はここに引用により組み込まれるものとする。
【符号の説明】
【００６３】
１  発光装置
２；２Ａ  ブラケット
４  ＬＥＤ（発光素子）
６  放熱部材
６ａ，６ｂ  一対の外側面
７，７Ａ  カバー
１４  ベース
１５ａ，１５ｂ，１６ａ，１６ｂ，１７ａ，１７ｂ，１８ａ，１８ｂ  フィン
２１ａ，２１ｂ  第１凹部（凹部）
２２ａ，２２ｂ  第１凸部（凸部）
２５ａ，２５ｂ  一対の側壁
４２ａ，４２ｂ  一対の挟持片
４６ａ，４６ｂ  一対の挟持片の内側面
７１ａ，７１ｂ  一対の側壁の内側面
Ｘ１  長手方向
【図１】
2014003035.tif 000003
【図２】
2014003035.tif 000004
【図３】
2014003035.tif 000005
【図４】
2014003035.tif 000006
【図５】
2014003035.tif 000007
【図６】
2014003035.tif 000008
【図７】
2014003035.tif 000009
【図８】
2014003035.tif 000010
【図９】
2014003035.tif 000011